(57)【要約】      （修正有）【課題】今までの雑巾は、布を重ね合わせただけの四角い雑巾が一般的だったが、手になじまず使いにくかった。最近は、手を挿入して使うモップのようなものや、手袋状のものも使われるようになったが、水拭きには適さなかった。水拭きでどんなところでも手早く拭ける、手袋雑巾を提供する。【解決手段】１枚または複数枚の繊維製素材を重ね合わせ、第１指を収納する第１の収納部５と、第２指乃至第５指を纏めて収納する第２の収納部６を設けた手の挿入孔４を設け、手と雑巾が密着することで、掃除中にずれないように形成された手袋雑巾１とする。【選択図】図１
2017047157.tif 000002
【特許請求の範囲】
【請求項１】
手の挿入孔を設けた繊維製素材の袋体の内部に、手を広げた状態で、第１指を単独で収納できる第１の収納部と、第２指乃至第５指を纏めて収納できる第２の収納部を設け、前記第１の収納部は、前記手の挿入孔に対して９０乃至１１０度の角度方向に形成されている、ことを特徴とする手袋雑巾。
【請求項２】
手の挿入孔を設けた繊維製素材の袋体の内部に、手を広げた状態で、第１指を単独で収納できる第１の収納部と、第２指乃至第５指を纏めて収納できる第２の収納部を設け、前記第１の収納部の根元に突起部が設けられることにより、前記手の挿入孔が部分的に幅狭に形成されている、ことを特徴とする手袋雑巾。
【請求項３】
請求項１または２において、前記第１の収納部と前記第２の収納部の間の繊維製素材を切り取らずに、両者を繋ぐひれ部として残している、ことを特徴とする手袋雑巾。
【発明の詳細な説明】
【技術分野】
【０００１】  本発明は、手袋のように、中に手を挿入して拭き掃除をすることができる、手袋雑巾に関するものである。
【背景技術】
【０００２】  従来の掃除用雑巾は、単に布を重ね合わせただけの平面のものや、不織布などで出来た化学雑巾があった。また、最近では、５本指の手袋形のものも使われるようになった。（例えば特許文献１、特許文献２参照）
【特許文献】
【０００３】
【特許文献１】特開２００５−２９６５２７号公報
【特許文献２】実開平７−１２０６０号公報
【発明の概要】
【発明が解決しようとする課題】
【０００４】  これには、次のような欠点があった。
従来の布を重ね合わせただけの四角い雑巾は、雑巾を手で握って拭かなければならず、雑巾が手から脱落して上手く掃除ができないことがあった。また、従来の５本指の手袋形のものは、乾拭きには良くても水拭きには適さなかった。
最近は感染等の問題があるにもかかわらず、広範囲を手早く拭くのに適した水拭き可能な便利な雑巾がなかった。【０００５】  本発明の目的は、手から脱落することがなく、広範囲を短時間で拭け、かつ、細かな部分まで確実に拭ける、着脱が容易で水拭き可能な、手を挿入して拭き掃除ができる安全で実用的な手袋雑巾を提供することを目的とする。
【課題を解決するための手段】
【０００６】  手の挿入孔を１か所設けた、１枚または複数枚の繊維製素材を重ね合わせた袋体の内部に、手を広げた状態で、第１指を単独で収納でき、第２指乃至第５指を纏めて収納できるよう接合し、手を挿入したとき、本体と手が密着してずれない様に形成された、手から脱落せずに楽に拭き掃除ができる構造になっている。
【発明の効果】
【０００７】（イ）本発明は、手を挿入して使用するので、雑巾を握らなくてもよく、雑巾本体の中で手がしっかり保持され、軽い力で楽に拭き掃除ができる。
（ロ）本発明は、手を挿入し手を広げての掃除で、手の動きと雑巾の動きが一体になっており、雑巾が手から脱落しないので、掃除動作に無駄がない。
（ハ）本発明は、手で拭くことのできる最大の面積を有し、広範囲を素早く拭ける。また、両手にはめると作業時間が短縮され、効率が良い。
（二）本発明は、本体の中で指を自在に動かすことが可能で、指先を使って複雑な形状の物や細かいところも確実に拭ける。
（ホ）本発明は、指が袋体の内部に収納されており指先が保護されているので、指や爪を傷つけることがない。また、左右どちらの手にも着用でき、両面で使用できる。
（ヘ）本発明は、着脱が容易で、水拭きや、除菌や消毒が必要な場所で使用でき、感染防止のための環境整備を行う際に活用できる。
（ト）本発明は、素材を接合しただけのシンプルな作りで、製造コストがかからない。
（チ）本発明は、何枚も手元に準備し、拭いては洗濯して繰り返し使え、実用性が高い。
【図面の簡単な説明】
【０００８】
【図１】  本発明の平面図である。
【図２】  本発明の手を挿入した際の平面図である。
【図３】  本発明の変形例である４角形の手袋雑巾の平面図である。
【図４】  本発明の変形例である丸い形の手袋雑巾の平面図である。
【図５】  本発明の変形例（図４）の手を挿入した際の平面図である。
【図６】  図１で示す１２の接合部の拡大図である。
【図７】  図３で示す１３の接合部の拡大図である。
【図８】  図４で示す１４の接合部の拡大図である。
【図９】  図３に示すＡ−Ａ線に沿う断面図である。
【図１０】  図４に示すＣ−Ｃ線に沿う断面図である。
【発明を実施するための形態】
【０００９】  以下、本発明を実施するための形態について説明する。
図１は、本発明の手袋雑巾の代表図面である。
１枚または複数枚の繊維製素材を重ね合わせ、手の挿入孔（４）を設け、第１指を単独で収納できる第１の収納部（５）と、第２指乃至第５指を纏めて収納できる第２の収納部（６）を設け、指を十分広げて作業することが出来るよう、５本の指をいっぱい広げた状態でミトン型に接合（点線で表示）した袋体を形成する。
前記第１の収納部と前記第２の収納部の間にできた繊維製素材は切り取らず、両者を繋ぐひれ部（７）として残す。同様に前記第１の収納部と前記挿入孔の間にできた繊維製素材も切り取らず、両者を繋ぐひれ部（８）として残し、ひれ部（７及び８）を含んだ状態で裁断し形成される。
【００１０】  前記第１の収納部は、前記手の挿入孔に対して９０乃至１１０度の角度方向に形成されている。
これは、親指の付け根の第１中手骨（図２の３０）の位置に１２（図１及び図６拡大図参照）を置き形成される。図１に示す手袋雑巾１に手を挿入すると、前記１２の接合部の素材が、前記第１中手骨に密着し、手と手袋雑巾１が固定され、ズレを防止するストッパーの機能を果たす。
前記１２を頂点とする内角の角度は、１００度（図６拡大図に示すＤの角度）を基準に設定され、１００度を基準に±１０度程度の角度であれば、本体と手がずれることなく保持できる許容範囲の角度となっている。
そのため、手の動きに合わせ本体も動くことになり、図２に示すように、矢印の方向Ｂに手袋雑巾１をひっぱっても脱げず、作業中も手から脱落しない構造になっている。
繊維製素材の接合方法としては、接着や縫製等の接合方法が考えられ、素材の種類に応じて適宜選択される。
【００１１】  図３は、図１の変形例で、図３に示す手袋雑巾２は、ひれ部（９、１０）を切り落とさず周囲を四角く裁断し形成される。
第１の収納部の根元（１２）の位置から下の方向に直径２センチ程度の半円形の突起部（１３）を形成し接合（図３及び図７拡大図の点線で表示）する。
この、前記突起部を設けることで、挿入孔を部分的に幅狭にし、作業中のズレを防止している。
この手袋雑巾２を使用したとき、前記１３の接合部の素材が、第１中手骨に密着し、手と手袋雑巾２が固定され、作業中にずれない、脱落しない構造になっている。
前記１３は、直径２センチを基準に±５ミリ程度で、手を挿入する際、挿入の妨げにならない大きさを確保する。
なお、図３に示す１５、１６の接合部は、指先の形状に合わせて丸みをつけたものである。
【００１２】  図４は、図１の変形例で、図４に示す手袋雑巾３は、５本の指を広げた状態で周囲を丸く接合（点線で表示）して形成される。図５で示すよう、第１指と第２指及び第５指を個別に収納できるよう、２２（図４・図５参照）である円形の接合部で区分されている。
この手袋雑巾３は、手のひらと指をいっぱい広げて作業ができるよう可能な限り生地を使用したもので、２２（図４・図５参照）である円形の接合部の素材が、手袋雑巾１及び手袋雑巾２のひれ部（７及び９）に相当し、広い壁面やドアや手すりなど、人の手が触れるあらゆる形状の物を確実に拭くことが出来る。手を挿入した時、第１中手骨に１４の接合部の素材が密着して手と手袋雑巾３が固定され、作業中にずれない、手から脱落しない構造になっている。
【００１３】  本発明を使用するときは、挿入孔（４）から手を挿入し、第１の収納部（５）には第１指を、第２の収納部（６）には、第２指乃至第５指を入れて、指を広げた状態で使用する。
広い面積の壁やドア、備品など凹凸のあるものや、細かいところまで自在に拭くことが出来る。テーブルのふちや椅子の背や脚の、角や丸みのある部分は、第１指と第２指で囲むように拭くと、ひれ部（７）できれいに拭き上げることが出来る。
前記、ひれ部を残すことで、手で拭くことのできる最大の面積で対象物を拭くことができるという利点がある。
今までストレスに感じていた拭き掃除の不具合を解消し、本体と手が密着して拭いている途中にずれない、楽に掃除ができる構造になっている。
【００１４】  前記、実施例のいずれにおいても、左右どちらの手にも着用でき、両面で使用できる。
【００１５】  なお、本発明は、前述の実施例に限定されるものでなく、本発明の目的を満たすものであれば改良したものも含まれるものである。
例えば、前記実施例では、図１に示す手袋雑巾１の１２の接合部の形を、図３に示す手袋雑巾２の１３の形に替えて接合してもよい。
また、前記実施例では、ひれ部（図１の７、８、図３の９、１０）が形成されるよう裁断していたが、ひれ部を切り落とし、ミトン型に裁断してもよい。
すなわち、本発明の手袋雑巾は、第１指を単独で収納でき、第２指乃至第５指を纏めて収納できるような形状に接合されたものであればよく、その具体的な接合構造、形状は実施に当たって適宜設定すればよい。
したがって、前述の実施例以外の、周囲を変形や多角形に裁断したものでも、本発明の目的を達成できる範囲での改良したものも含まれるものである。
【００１６】  本発明の、手袋雑巾の素材は、自然素材のタオル地や、化学繊維等、拭く対象物や用途により様々な種類のものが使用可能で、色や柄付でカラフルにすると用途に応じて使い分けできる。
【００１７】  乾拭き、水拭きのどちらにも対応でき、洗剤等を使用する場合は、中にポリエチレン製等の水を通さない手袋を着用すると手荒を防止できる。
【００１８】  使用場所は、家庭や、ショッピングセンター・オフィス・福祉施設・病院など、ビルメンテナンス等の業務用としても幅広く使用できる。
【符号の説明】
【００１９】１、２、３  手袋雑巾
４  手の挿入孔
５  第１の収納部
６  第２の収納部
７、８、９、１０  ひれ部
１２  図１、図２に示す第１の収納部の根元
１３  図３に示す第１の収納部の根元の突起部
１４  図４に示す第１の収納部の根元の突起部
１５、１６  指の形状に合わせて丸みをつけた接合部
１７、２２  接合部
１８、１９、２０、２１  繊維製素材
３０  図２、図５に示す第１中手骨（親指の付け根部分）
【図１】
2017047157.tif 000003
【図２】
2017047157.tif 000004
【図３】
2017047157.tif 000005
【図４】
2017047157.tif 000006
【図５】
2017047157.tif 000007
【図６】
2017047157.tif 000008
【図７】
2017047157.tif 000009
【図８】
2017047157.tif 000010
【図９】
2017047157.tif 000011
【図１０】
2017047157.tif 000012
【手続補正書】
【提出日】平成27年10月14日(2015.10.14)
【手続補正１】
【補正対象書類名】明細書
【補正対象項目名】００１２
【補正方法】変更
【補正の内容】
【００１２】  図４は、図１の変形例で、図４に示す手袋雑巾３は、５本の指を広げた状態で周囲を丸く接合（点線で表示）して形成される。図５で示すよう、第１指と第２指乃至第５指を個別に収納できるよう、２２（図４・図５参照）である円形の接合部で区分されている。
この手袋雑巾３は、手のひらと指をいっぱい広げて作業ができるよう可能な限り生地を使用したもので、２２（図４・図５参照）である円形の接合部の素材が、手袋雑巾１及び手袋雑巾２のひれ部（７及び９）に相当し、広い壁面やドアや手すりなど、人の手が触れるあらゆる形状の物を確実に拭くことが出来る。手を挿入した時、第１中手骨に１４の接合部の素材が密着して手と手袋雑巾３が固定され、作業中にずれない、手から脱落しない構造になっている。
【手続補正書】
【提出日】平成28年11月21日(2016.11.21)
【手続補正１】
【補正対象書類名】特許請求の範囲
【補正対象項目名】全文
【補正方法】変更
【補正の内容】
【特許請求の範囲】
【請求項１】
手の挿入孔を設けた繊維製素材の袋体の内部に、５本の指をいっぱい広げた状態で、第１指を単独で収納できる第１の収納部と、第２指乃至第５指を纏めて収納できる第２の収納部を設け、前記第１の収納部は、前記手の挿入孔に対して９０乃至１１０度の角度方向に形成され、前記第１の収納部と前記第２の収納部の間の繊維製素材を切り取らずに、両者を繋ぐひれ部として残し、手で拭くことのできる最大の面積を有するよう形成されている、ことを特徴とする手袋雑巾。
【請求項２】
手の挿入孔を設けた繊維製素材の袋体の内部に、５本の指をいっぱい広げた状態で、第１指を単独で収納できる第１の収納部と、第２指乃至第５指を纏めて収納できる第２の収納部を設け、前記第１の収納部の根元に突起部が設けられることにより、前記手の挿入孔が部分的に幅狭に形成され、前記第１の収納部と前記第２の収納部の間の繊維製素材を切り取らずに、両者を繋ぐひれ部として残し、手で拭くことのできる最大の面積を有するよう形成されている、ことを特徴とする手袋雑巾。
【手続補正２】
【補正対象書類名】明細書
【補正対象項目名】００１５
【補正方法】変更
【補正の内容】
【００１５】
なお、本発明は、前述の実施例に限定されるものでなく、本発明の目的を満たすものであれば改良したものも含まれるものである。
例えば、前記実施例では、図１に示す手袋雑巾１の１２の接合部の形を、図３に示す手袋雑巾２の１３の形に替えて接合してもよい。
すなわち、本発明の手袋雑巾は、第１指を単独で収納でき、第２指乃至第５指を纏めて収納できるような形状に接合されたものであればよく、その具体的な接合構造、形状は実施にあたって適宜設定すればよい。
したがって、前述の実施例以外の、周囲を変形や多角形に裁断したものでも、本発明の目的を達成できる範囲での改良したものも含まれるものである。